(57)【要約】【課題】  感熱記録媒体のサイズ的制約をフレキシブルに対応できるようにする。【解決手段】  基材上に少なくとも２色の異なる色相で発色する感熱発色層４が設けられた連続体からなる感熱記録媒体１において、前記感熱発色層４が前記媒体の長手方向に対して、前記異なる色相ごとに平行なストライプ状に連続的に形成されていることを特徴とする感熱記録媒体１。【選択図】  図１
2005324415.tif 000002
【特許請求の範囲】
【請求項１】
基材上に少なくとも２色の異なる色相で発色する感熱発色層が設けられた連続体からなる感熱記録媒体において、前記感熱発色層が前記媒体の長手方向に対して、前記異なる色相ごとに平行なストライプ状に連続的に形成されていることを特徴とする感熱記録媒体。
【請求項２】
前記基材上にインキ受理層が設けられ、前記感熱発色層は、少なくとも電子供与性化合物と電子受容性化合物を含有する水分散感熱インキを前記インキ受理層に印刷して一体的に形成されていることを特徴とする請求項１記載の感熱記録媒体。
【請求項３】
前記基材上に少なくとも電子受容性化合物を含有するインキ受理層が設けられ、前記感熱発色層は、少なくとも電子供与性化合物を含有する水分散インキを前記インキ受理層に印刷して一体的に形成されたことを特徴とする請求項１記載の感熱記録媒体。
【請求項４】
異なる３色以上の色相で発色する前記感熱発色層が設けられていることを特徴とする請求項１乃至３記載の感熱記録媒体。
【請求項５】
少なくとも赤系色および黒色の前記感熱発色層を有していることを特徴とする請求項４記載の感熱記録媒体。
【請求項６】
少なくとも青系色の前記感熱発色層を有していることを特徴とする請求項４または請求項５記載の感熱記録媒体。
【請求項７】
前記赤系色の感熱発色層が他の異なる色相の前記感熱発色層よりも幅が広く設けられたことを特徴とする請求項５記載の感熱記録媒体。
【請求項８】
基材上に印刷版を用いた印刷法により少なくとも２つ以上の異なる色相で発色するｎ個（２つ以上）の感熱発色層を形成する感熱記録媒体の製造方法において、
前記基材の長手方向に対して連続的かつ幅方向に同時に少なくともｍ個（２つ以上）の前記感熱記録媒体を長手方向に平行なストライプ状に前記感熱発色層を形成する印刷工程と、
前記感熱発色層上の一部をカットすることによりｍ個の前記感熱記録媒体に分割する工程と、
を有することを特徴とする感熱記録媒体の製造方法。
【請求項９】
ｎ個の前記感熱発色層が１番目から順次ｎ番目に順次配列された前記感熱記録媒体を複数設ける工程と、
前記感熱記録媒体の幅方向の中心を線対称に同一の色相の前記感熱発色層であって、前記隣接する感熱記録媒体の前記感熱発色層が共通であって、前記共通の感熱発色層の中心を分割する工程と、
を有することを特徴とする請求項８記載の感熱記録媒体の製造方法。
【請求項１０】
ｎ個の前記感熱発色層が１番目からｎ番目に順次配置された前記感熱記録媒体と隣接する前記感熱記録媒体の前記感熱発色層はｎ番目から１番目に逆に順次配置され、互いに前記隣接する前記感熱記録媒体のストライプ状の前記感熱発色層は共通感熱発色層として形成する印刷工程と、
前記共通感熱発色層上を分割する工程と、
を有する請求項８記載の感熱記録媒体の製造方法
【請求項１１】
ｎ個の異なる色相で濃淡のある前記感熱発色層の内、淡い色相の前記感熱発色層から順次印刷することを特徴とする請求項８乃至請求項１０記載の感熱記録媒体の製造方法。
【請求項１２】
前記基材の厚さが９０ｇ／ｍ２以上であることを特徴とする請求項８乃至請求項１１記載の感熱記録媒体の製造方法。
【発明の詳細な説明】
【技術分野】
【０００１】
本発明は、感熱記録媒体及びその製造方法に関する。
【背景技術】
【０００２】
従来、１枚の感熱記録媒体で複数のフォームを実現する多色感熱記録媒体が知られている。この多色感熱記録媒体は、異なる発色温度で異なる色調を発色させる少なくとも２つの感熱発色層を紙等の基材上に積層して形成した記録媒体が知られている。（例えば、特許文献１参照）
このような多色感熱記録媒体をサーマルヘッドで加熱して印字を行なった場合、加熱温度を変えることにより異なった色相の画像が得られる。例えば、低温で加熱した場合には青色に発色し、高温で加熱した場合には黒色に発色するという具合である。このような多色感熱記録媒体を印字するには、サーマルヘッドの温度制御が必要になる。また、高温に制御されたサーマルヘッドでも、その周辺部は低温に制御された温度になるため、混色したように見える。
【０００３】
このような問題を解決するため、異なった色相に発色する２色以上の感熱発色層を基材上に部分的に形成し、これを発色させる画素のみ選択的に加熱して多色画像を得る方法が提案されている（例えば、特許文献２、３参照）。
【０００４】
記録媒体としてロール紙のような記録媒体を用いた場合に、その長さ方向に連続的にストライプ状のパターンを印刷法で形成することができる。その感熱記録媒体の記録層の幅方向のサイズやパターンを比較的容易に変更できる。しかしながら、印刷法で形成した感熱発色層および感熱記録媒体は幾つかの課題がある。
【０００５】
第一に、感熱記録媒体に印刷法で複数の感熱発色層を形成すると、図１６のようにサイズ等全く同じ定型フォームとしては利用可能であるが、例えば、長さの異なる感熱記録媒体の形成が難しいことが挙げられる。
【０００６】
第二に、感熱発色層の作製時の問題が挙げられる。感熱記録媒体の作製に用いられる感熱インキとしては、水に、電子受容性化合物として、例えば、顕色剤、電子供与性化合物として、例えば、ロイコ染料、増感剤等の顔料成分を界面活性剤等の分散剤を用いて分散させた水分散感熱インキが広く使用されている。
【０００７】
この水分散感熱インキを、ブレードコーター、エアナイフコーター、ロールコーター、バーコーター、グラビアコーター、リップコーター等の塗工装置を用いて塗工した場合には、基材上に均等な膜厚に塗工できるが、凸版、凹版、孔版等の版を用いた印刷法で水分散感熱インキを基材上に印刷して感熱発色層を形成した場合において、印刷インキを用いて通常の印刷物を形成する印刷法に比べて、所定濃度を得るためには印刷膜厚を大幅に厚く形成する必要があるため、水分散感熱インキが塗布された感熱記録媒体をオーブンなどに入れて加熱して乾燥させた場合には、図１７に示すような縞模様Ａが発生することが本発明者によって確認された。この縞模様Ａは、印刷時に版と基材とが離反したとき、水分散感熱インキが滑らかに広がらずに波打ち状態になる「泳ぎ」と呼ばれる現象である。この現象は、顔料を含有する水分散感熱インキが有する性質のために生じやすいと考えられる。
【０００８】
このような現象が発生した感熱発色層が形成された感熱記録媒体を用い、サーマルヘッドなどで熱エネルギーを印加して画像を形成した場合、その画像には縞模様Ａに対応する部分が濃度ムラとなって現れ、画像品質が低下する。
【０００９】
一方、水分散感熱インキに代えて、有機溶媒中に、顕色剤、ロイコ染料等を分散させた有機溶媒系感熱インキを用いた場合には、印刷された有機溶媒系感熱インキは水分散感熱インキに比べてレベリング性が良く、図１７に示したような縞模様の発生は生じにくい。しかし、有機溶媒は、感熱インキの構成成分として用いられる顕色剤、ロイコ染料等の物質を溶解しやすく、地肌かぶりを起こし易いという問題や、地肌かぶりを少なくしようとすれば使用できる顕色剤やロイコ染料等の種類が限定されるので、種々の色を発色させる材料の選択範囲が制限され、カラー化が困難になることやコスト高になるという問題がある。
【００１０】
そこで、本出願人は、基材上に水分散感熱インキを含浸させ、所定濃度を確保するための膜厚を保持するためのインキ受理層を設け、さらに、水分散感熱インキの表面張力を低減させて、より基材への浸透性やリベリング性を高め「泳ぎ」の現象を問題ないレベルに低減する発明を特願２００３−９９３５６で提案した。
【００１１】
水分散感熱インキの浸透性やリベリング性を高めると、隣合う異なる色相の感熱発色層の混色が発生しやすくなる。特に、凹版印刷の場合、ドクターブレードで余分なインクを除去するが、水系の分散インクを用いるとドクターブレードの摩耗が溶剤系に比べ発生しやすいこと、基材や水分散感熱インキの浸透性が高められていることから、印刷される水分散感熱インキの量も多いことから隣合う感熱発色層の混色の問題が発生しやすい。
【００１２】
【特許文献１】特開昭５７−１７８７９１号公報
【特許文献２】特開昭６０−２０８２８３号公報
【特許文献３】特開２０００−３０１８３５号公報
【発明の開示】
【発明が解決しようとする課題】
【００１３】
本発明の目的は、感熱記録媒体のサイズ的制約をフレキシブルに対応できるようにするようにし、さらに版を用いた印刷法で感熱発色層を形成する感熱記録媒体を作製した場合に生ずる前記した泳ぎの問題を解決することである。また、異なる色相の感熱発色層を形成する感熱記録媒体を作製した場合の混色を生じにくくすることである。
【課題を解決するための手段】
【００１４】
基材上に少なくとも２色の異なる色相で発色する感熱発色層が設けられた連続体からなる感熱記録媒体において、前記感熱発色層が前記媒体の長手方向に対して、前記異なる色相ごとに平行なストライプ状に連続的に形成するようにした。
【００１５】
また、基材上に印刷版を用いた印刷法により少なくとも２つ以上の異なる色相で発色するｎ個（２つ以上）の感熱発色層を形成する感熱記録媒体の製造方法において、前記基材の長手方向に対して連続的かつ幅方向に同時に少なくともｍ個（２つ以上）の前記感熱記録媒体を長手方向に平行なストライプ状に前記感熱発色層を形成する印刷工程と、前記感熱発色層上の一部をカットすることによりｍ個の前記感熱記録媒体に分割する工程とを有するようにした。
【発明の効果】
【００１６】
本発明によれば、感熱記録媒体のサイズ的制約をフレキシブルに対応できるようにすることができ、さらに版を用いた印刷法で感熱発色層を形成する感熱記録媒体を作製した場合に生ずる泳ぎがない記録媒体を提供することができる。また、異なる色相の感熱発色層を形成する感熱記録媒体を作製した場合に生じやすい混色を生じにくくすることができる。
【発明を実施するための最良の形態】
【００１７】
本発明の一実施の形態を図１ないし図３に基づいて説明する。
図１は感熱記録媒体を示す平面図、図２は図１の断面図、図３は印字状態を示す平面図である。
【００１８】
この感熱記録媒体１は、基材２と、基材２の表面に形成されたインキ受理層３と、インキ受理層３に形成された発色色相がそれぞれ異なる感熱発色層４ａ、４ｂ、４ｃと、必要に応じて保護層５が形成されている。
【００１９】
発色の色相が異なる感熱発色層４ａ、４ｂ、４ｃは、印刷法で形成され長手方向に平行なストライプ状に形成されている。長手方向とは、印刷法で形成する場合の基材２の送り方向を意味し、プリンタでの印字送り方向と一致する。
【００２０】
感熱発色層４ａ、４ｂ、４ｃは、ストライプ状に印刷方向に切れ目なく形成可能な印刷法で形成される。このような連続的印刷が可能な印刷法としては、グラビア印刷がある。
【００２１】
グラビア印刷法で形成する感熱発色層４ａ、４ｂ、４ｃは、図２で示したようにインキ受理層３に浸透させ一体的に形成されている。印刷法で形成した場合、「泳ぎ」が発生しやすいためで、一体的に形成することでその発生を抑えることが可能である。感熱発色層４ａ、４ｂ、４ｃをインキ受理層３に一体的に形成するとは、印字品質的に泳ぎの影響が発生しない範囲で、感熱発色層４ａ、４ｂ、４ｃがインキ受理層３に完全に浸透せず、上部に出ていても良い。
【００２２】
連続的にストライプ状に形成された感熱記録媒体１は、例えば図３で示すように、プライスカード等のＰＯＰに利用可能である。感熱発色層４ａには広告の品、ＳＡＬＥ等の強調文字、感熱発色層４ｂには商品の説明やバーコード、感熱発色層４ｃは特売等の価格等を異なる色調で印字することにより、視覚的に顧客にＰＲできるＰＯＰになる。
【００２３】
ストライプ状に連続的に感熱発色層４ａ、４ｂ、４ｃを設けたことにより、図３で示すように印字長が代わっても対応可能で、切り取って使用することができる。ここで示した、図１〜図３の感熱記録媒体１は図４で示すようなロール上に形成された感熱記録媒体ロール１０の一部を示したもので、感熱発色層４ａ、４ｂ、４ｃが連続的にストライプ状に形成されている。
【００２４】
感熱発色層４ａは、例えば青色に発色する感熱発色層４で強調文字等の印字に適している。感熱発色層４ｂは黒色に発色する感熱発色層４で、商品説明やその他に、バーコード等の印字に利用する。感熱発色層４ｃは赤色に発色する感熱発色層４で特に価格等のＰＲしたい項目を印字することに有効であり、重要な感熱発色層４である。
【００２５】
ストライプ状に形成された感熱発色層４の組合せとして青色に発色する感熱発色層４ａ、黒色の発色する感熱発色層４ｂ、赤色に発色する感熱発色層４ｃが色合いとして好まれるが、さらに、この組合せで赤色の感熱発色層４ｃは、強調する意味合いが強く大事な情報を印字する場合が多く、他の感熱発色層４よりも幅が広い方が、視覚的により効果的である。
【００２６】
また、ストライプ状に形成された感熱発色層４の幅があまり狭いと、異なる色調で視覚的に強調するには効果が少ないことやプリンタの印字位置精度から、例えば１０ｍｍ程度以上が望ましい。特に、黒色や青色の感熱発色層４に求められるバーコード印字を考慮すると１０ｍｍ程度は必要となる場合が多い。（バーコードのＪＡＮ規格値では、最小倍率０．８倍において、バーコード高さが１８．２９ｍｍであるが、実際にはこの数値の半分までは十分読み取り範囲でこの数値から考えると１０ｍｍ以上が望ましいことになる）
【００２７】
また、多色の感熱記録媒体１は視覚的に目立つようにすることが多く、このためには、感熱発色層４の各色調のバランスも重要である。このため、例えば、各感熱発色層４のストライプの幅は全体の１／１０以上であるとよい。より好ましくは、凡そ均等分に分割されていることがより視覚的には効果的である。
【００２８】
基材２としては、例えば、紙、ポリエチレンテレフタレート等のプラスチックフィルム、金属箔等が挙げられるが、本発明の目的を妨げないものであれば、これらに限定されるものではない。  
【００２９】
インキ受理層３は、印刷法で形成する感熱発色層４の泳ぎを防止するために、水系感熱分散インキを吸収しやすくするために、顔料を主成分として、顔料とバインダー樹脂とから構成されている。顔料としては、例えば、クレー、焼成クレー、炭酸カルシウム、酸化チタン、酸化アルミニウム、水酸化アルミニウム、シリカ等の無機顔料や、スチレン系、スチレン・アクリル系、アクリル系等の樹脂のビーズ状、中空樹脂等の有機顔料が使用可能である。さらに、１次粒子が凝集した凝集体である多孔性顔料が好ましく、例えば、炭酸カルシウムや合成シリカ等が使用可能である。インキ受理層３に用いられるバインダー樹脂としては、水溶性高分子、水溶性高分子エマルジョンが利用可能である。水溶性高分子としては、例えば、ポリビニルアルコール、デンプン及びその誘導体、セルロース誘導体、ゼラチン、カゼイン、スチレン・無水マレイン酸共重合体塩、スチレン・アクリル酸共重合体塩等が挙げられる。水溶性高分子エマルジョンとしては、スチレン・ブタジエン共重合体等のラテックスや、酢酸ビニル樹脂、スチレン・アクリル酸エステル共重合体、ポリウレタン樹脂等のエマルジョン等が挙げられる。また必要に応じて、インキ受理層３に、ステアリン酸亜鉛、ワックス等の滑剤や、ヒンダードフェノール類等の添加剤を添加しても良い。
【００３０】
インキ受理層３の形成方法としては、まず、親水性顔料とバインダー樹脂、必要に応じて添加剤を水に分散混合して塗工液を作製する。この時、必要に応じて、ポリアクリル酸ソーダ、ヘキサメタクリル酸ソーダ、スルホン酸変性ポリビニルアルコール等の顔料分散剤や消泡剤、紫外線吸収剤、防腐剤等の各種添加剤を併用しても良い。
【００３１】
作製した塗工液を塗工機により、乾燥後の重量として１〜５０ｇ／ｍ２、好ましくは３〜１０ｇ／ｍ２塗布し、インキ受理層３を形成する。塗工機としては、エアナイフコーター、バーコーター、ロールコーター、ブレードコーター、グラビアコーター等の塗工装置を用いることができる。また、必要に応じ、キャレンダー等により平滑化処理を行っても良い。
【００３２】
感熱発色層４ａ、４ｂ、４ｃは、それぞれ発色色相が異なり、グラビア印刷法により、インキ受理層３と一体的に形成されている。グラビア印刷法は図５で示すように、インキパン１１６、１２６、１３６の中の水分散感熱インキ１１５、１２５、１３５はグラビア版１１３、１２３、１３３により掻き揚げられる。余分な水分散感熱インキ１１５、１２５、１３５は、ドクターブレード１１４、１２４、１３４によりかき取られる。グラビア版１１３、１２３、１３３は、図６ａ〜図６ｃに示すように印刷送り方向に平行にグラビア版１１３、１２３、１３３のシリンダー１１８、１２８、１３８の１周にストライプ状に溝１１７、１２７、１３７が形成されている。この溝１１７、１２７、１３７内に各色の水分散感熱インキ１１５、１２５、１３５が入り込み、圧胴１１２、１２２、１３２と狭さまれ搬送されるインキ受理層３が設けられた基材２に転写され、各色調の感熱発色層４ａ、４ｂ、４ｃは連続的にストライプ状に印刷される。グラビア版１１３、１２３、１３３は、線数１７５線で深さが４０μｍの腐食版で印刷した。線数や深さは、線数を小さくすればするほど、深さを深くするほど発色させたときの濃度は濃くなるが、「泳ぎ」が発生しやすく、濃度むらが発生しやすいので、発色濃度と濃度むらの両立できるグラビア版の線数や深さを選択する必要がある。ストライプ状に連続的に印刷することにより、印刷長手方向（プリンタの印字方向と一致）の感熱記録媒体１としての制限がなくなる。
【００３３】
感熱発色層４の印刷する順番は、色相の淡い色から順次印刷することが望ましい。これは、水系のインクを用いた場合、一般的にドクターブレードの摩耗が多い。ドクターブレードが摩耗すると、水分散感熱インキが本来印刷されないところに印刷されることになる。しかしながら、インキ受理層３に淡い色の水分散感熱インキが印刷された感熱発色層４上には、次に印刷される濃い色の水分散感熱インキがドクターブレードの不良により少し漏れたとしても、インキ受理層３では無いため混色は軽減する。
【００３４】
図１〜図３に示す青色感熱発色層４ａ、黒色感熱発色層４ｂ、赤色感熱発色層４ｃの場合、赤色感熱発色層４ｃをグラビア印刷の第１の印刷ユニット１１０で印刷し、青色感熱発色層４ａをグラビア印刷の第２の印刷ユニット１２０で印刷し、黒色感熱発色層４ｂをグラビア印刷の第３の印刷ユニット１３０で印刷する。
【００３５】
印刷物である感熱記録媒体１には図７に示すように、ストライプ状の各感熱発色層４が形成される。グラビア版の溝１１７ａ、ｂは感熱発色層１１９ａ、ｂ、グラビア版の溝１２７ａ、ｂは、感熱発色層１２９ａ、ｂ、グラビア版の溝１３７ａ、ｂは感熱発色層１３９ａ、ｂになる。
【００３６】
１つの基材上にストライプ状で形成された印刷物は、必要に応じて保護層５を設けた後、必要なサイズになるよう切断ライン１５０でスリッターにより分離し、必要な長さに巻かれて感熱記録媒体ロール１０として完成する。切断ライン１５０は、感熱発色層１２９ａと１１９ｂ上である。このラインを切断することにより、感熱記録媒体１ａ、１ｂ、１ｃに分離する。
【００３７】
同一の感熱記録媒体１を１つの基材から形成する場合、印刷法でストライプ状に部分的感熱発色層４ａ、４ｂ、４ｃを印刷し、図８（ａ）で示すように、１つの基材２の原反から切断ライン１５０で切断し、複数の感熱記録媒体１を形成する場合、一般的に、隣合う感熱記録媒体１の感熱発色層４の間には、感熱発色層４の無い隙間部１５２を設けるので、隙間部１５２の無駄なエリアが発生する。
【００３８】
そこで、インキ受理層３が設けられた基材２上に、感熱発色層４ａ、４ｂ、４ｃを印刷法でストライプ状に設ける。その際、図８（ｂ）で示すように、隣合う感熱記録媒体１の感熱発色層４と共通で形成し、その共通の感熱発色層４上の切断ライン１５０で分離して感熱記録媒体１を作製する。共通の感熱発色層４は、例えば、全ての感熱発色層４が同じ幅で形成されるとすれば、共通の感熱発色層４は、２倍の幅で印刷する。
【００３９】
図８ｂで示すように、異なる色相の感熱発色層４ａ、４ｂ、４ｃを左端から見ていくと、共通部は感熱発色層４ａ、感熱発色層４ｂ、感熱発色層４ｃ、感熱発色層４ａと続く。その場合、感熱記録媒体１の感熱発色層４の順番は、左端から見ていくと、ｃｂａ→ａｃｂ→ｂａｃと変わり、
次の感熱記録媒体１でｃｂａと最初に戻る。このように、感熱発色層４の並びの異なる感熱記録媒体１が３種類できるが、図８（ａ）で示したように無駄なエリアは発生しない。
【００４０】
図８（ｂ）のように複数の種類の感熱記録媒体１が不要で同一の感熱記録媒体１が複数必要な場合、図７のように、隣合う感熱記録媒体１の感熱発色層４（１１９ａ、１１９ｂ、１２９ａ、１２９ｂ、１３９ａ、１３９ｂ、１３９ｃ）の並びを交互にすると、感熱発色層４の順番は左右反転するだけで済む。この場合、サーマルプリンタでデータの転送方向を変えるだけで同一のパターンが印字できるので、図８（ｂ）のように複数の感熱記録媒体１が不要な場合でも、同一の印字可能な感熱記録媒体１が得られる。具体的には、互いに隣合う感熱記録媒体１（例えば１ａと１ｂ）ではストライプ状の感熱発色層４の並びが逆になっている。例えば、感熱記録媒体１ａは、下側に赤色の感熱発色層１１９ａ、真中に黒色の感熱発色層１３９ａ、上側に青色の感熱発色層１２９ａであるが、隣合う感熱記録媒体１ｂは下側に青色の感熱発色層１２９ａ、真中に黒色の感熱発色層１３９ｂ、上側に赤色の感熱発色層１１９ｂである。
【００４１】
また、感熱発色層４のパターンが限定されるが、感熱記録媒体１の幅方向の中心に異なる色調の感熱発色層４が対称的に印刷形成されている場合、隣合う感熱記録媒体１の共通に印刷された感熱発色層４の中心位置を分離することで、同時に同一の感熱記録媒体１が製造できる。
【００４２】
このように感熱発色層４上を分離することで、複数の感熱記録媒体１を製造するようにすると、ストライプ状に接する感熱発色層４の境界の箇所を減らすことができるため、先述したドクターブレードの摩耗による混色の発生確率を減らすことが可能になる。
【００４３】
基材２として紙を用い、通常のグラビア印刷機を用いて感熱発色層４を印刷する場合、水分散感熱インキを用いるので、基材２にしわが発生しやすい。通常のグラビア印刷機で使用してもしわが発生しない基材２の厚さとして坪量が９０ｇ／ｍ２以上必要で、より好ましくは１００ｇ／ｍ２以上の紙を用いる。
【００４４】
感熱発色層４ａ、４ｂ、４ｃを、インキ受理層３中にインキ受理層３と一体的に形成することが「泳ぎ」を減少させることに繋がる。感熱発色層４ａ、４ｂ、４ｃはそれぞれの発色色相が異なり電子受容性化合物、電子供与性化合物、バインダー樹脂を含有している。
【００４５】
ここでは、連続する基材２上に設けられたインキ受理層３に電子供与性化合物と電子受容性化合物を含有する水分散感熱インキを連続版によりストライプ状に形成する実施の形態に関して述べたが、インキ受理層３に電子受容性化合物を含有させ、少なくとも電子供与性化合物を含有する水分散インキを連続版によりストライプ状に形成した方が、「泳ぎ」
の防止により効果的である。
【００４６】
電子受容性化合物としては、例えば顕色剤が挙げられ、具体的には、フェノール類、フェノール金属塩類、カルボン酸金属塩類、スルホン酸、スルホン酸塩、リン酸類、リン酸金属塩類、酸性リン酸エステル、酸性リン酸エステル金属塩類、亜リン酸類、亜リン酸金属塩類等の酸化物等が使用可能である。もちろん一種類の材料ではなく混合して用いても良い。
【００４７】
電子供与性化合物としては、例えばロイコ染料が挙げられ、具体的には、＜黒系＞：ＰＳＤ−１５０、ＰＳＤ−１８４、ＰＳＤ−３００、ＰＳＤ−８０２、ＰＳＤ−２９０（以上、日本曹達社製）、ＣＰ−１０１、ＢＬＡＣＫ−１５、ＯＤＢ、ＯＤＢ２（以上、山本化成社製）、ＢＬＡＣＫ−１００、Ｓ−２０５、ＢＬＡＣＫ−３０５、ＢＬＡＣＫ−５００（以上、山田化学社製）、ＴＨ−１０７（以上、保土ヶ谷化学社製）、＜青系＞：ＣＶＬ、ＢＬＵＥ−６３、ＢＬＵＥ−５０２（以上、山本化成社製）、ＢＬＵＥ−２２０（以上、山田化学社製）、ＢＬＵＥ−３（以上、保土ヶ谷化学社製）、＜赤系＞：ＰＳＤ−ＨＲ、ＰＳＤ−Ｐ、ＰＳＤ−Ｏ（以上、日本曹達社製）、Ｒｅｄ−３、Ｒｅｄ−４０（以上、山本化成社製）、Ｒｅｄ−５００、Ｒｅｄ−５２０（以上、山田化学社製）、Ｖｅｒｍｉｌｉｏｎ−ＤＣＦ、Ｒｅｄ−ＤＣＦ（以上、保土ヶ谷化学社製）等の材料が使用可能である。また、一種類の材料ではなく複数のものを混合して用いても良い。
【００４８】
その他の色としては、＜緑系＞：ＰＳＤ−３Ｇ（日本曹達社製）、ＡＴＰ（山田化学社製）、Ｇｒｅｅｎ−ＤＣＦ（保土ヶ谷化学社製）、＜黄系＞：Ｆ． Ｃｏｌｏｒ Ｙｅｌｌｏｗ−１７（山本化成社製）、＜オレンジ系＞：ＰＳＤ−Ｏ（日本曹達社製）、Ｏｒａｎｇｅ１００（山田化学社製）等があり、これらの色以外の染料も使用可能である。
【００４９】
本実施の形態では、感熱発色層４ａ、４ｂ、４ｃに青、赤、黒色を用いた例を説明したがこれに限るものではないが、多色の感熱記録媒体１においては、この組合せのバランスが良い。
【００５０】
バインダー樹脂としては、デンプン類、セルロース類、ポリビニルアルコール等の水溶性樹脂や、ポリ酢酸ビニル、ポリウレタン、ポリアクリル酸エステル等の樹脂ラテックス等の樹脂が使用可能である。もちろん一種類の材料ではなく混合して用いても良い。
【００５１】
その他必要に応じて、ワックス類、ナフトール誘導体、ビフェニル誘導体、ポリエーテル誘導体、炭酸ジエステル誘導体等の増感剤や、ステアリン酸亜鉛、ステアリン酸アミド、炭酸カルシウム等のヘッド磨耗防止剤、スティッキング防止剤等を使用することが可能である。
【００５２】
感熱発色層４ａ、４ｂ、４ｃの形成方法としては、まず、顕色剤（電子受容性化合物）、ロイコ染料（電子供与性化合物）、バインダー樹脂、必要に応じて増感剤やヘッド磨耗防止剤、スティッキング防止剤等の顔料を水に分散混合して水分散感熱インキを作製する。この時、必要に応じて、スルホン酸変性ポリビニルアルコール等の変性樹脂や界面活性剤等の分散剤、消泡剤、紫外線吸収剤、防腐剤等の各種添加剤を併用しても良い。
【００５３】
増感剤は、使用する電子受容性化合物や感熱発色層４で使用する電子供与性化合物により、理想的な材料が異なるが、電子受容性化合物および電子供与性化合物の結合による発色する感度を向上させる材料である。例えば、大日本インキ化学社製のＨＳ−３５２０などを使用することができる。
【００５４】
本実施の形態では、望ましくは感熱発色層４が１０ｍｍ以上、感熱記録媒体１の幅に対して１／１０以上の幅であると述べたが、用途等に応じて狭くても差し支えない場合があり、適宜寸法に関しては選択できる。
【００５５】
また、本実施の形態では、最終の感熱記録媒体１のサーマルプリンタ（図示せず）への適用のために感熱記録媒体ロール１０に関して述べてきた。感熱記録媒体ロール１０から図９で示すミシン目の加工により折状感熱記録媒体１１に適合できる。この場合、通常の印刷法で形成した感熱記録媒体１であれば、１つの感熱記録媒体ロール１０から、１つの長さの折状の感熱記録媒体１１しかできないが、印刷長手方向が自由であるため、折状の長さを容易に変更可能である。
【００５６】
また、本実施の形態では、１つの感熱記録媒体１に色相の異なる感熱発色層４をそれぞれ１つづつのストライプ状について説明したが、少なくとも２種類の異なる色相の感熱発色層があれば、同一の色相の感熱発色層４が複数であってもよい。
【実施例】
【００５７】
以下に実施例を挙げて本発明の感熱記録媒体１の具体的な構成を説明するが、本発明はこれらに限定されるものではない。なお、実施例中の「部」は、重量部を表わす。
【００５８】
＜実施例１＞
◎インキ受理層の形成
・焼成カオリン（インキ受理層３の顔料）        １００部
（白石カルシウム社製、商品名：カオカル）
・親水性シリカ（インキ受理層３の顔料）          １１部
（東ソー・シリカ社製、商品名：Ｎｉｐｓｉｌ  Ｅ−２２０Ａ）
・分散剤：ポリアクリル酸ソーダ                    １部
・水                                          ２８０部
上記組成物をホモジナイザーで分散し、親水性シリカの顔料分散液を作製した。そしてこの顔料分散液に、
・スチレン・ブタジエン共重合ラテックス          ５５部
（ＪＳＲ社製、４８％ＳＢＲ分散液）
・リン酸エステル化デンプン                      ３７部
（日本食品化工社製、商品名：ＭＳ−４６００、２０％水溶液）
を加え、ホモジナイザーで分散混合し、インキ受理層３の塗工液を作製した。
【００５９】
この塗工液を重量９０ｇ／ｍ２の基材（上質紙）２に、マイクログラビアコーターで搬送速度５０ｍ／ｍｉｎ、乾燥温度１００℃で、乾燥後の重量が８ｇ／ｍ２となるように塗布乾燥することにより、インキ受理層３を基材２上に形成した。
【００６０】
◎感熱発色層の形成
・ロイコ染料分散液（固形分３０％）              ５０部
青（ＣＶＬ、山本化成社製）
黒（ＯＤＢ−２、山本化成社製）
赤（Ｖｅｒｍｉｌｉｏｎ−ＤＣＦ、保土谷化学社製）
ロイコ染料分散液は、水に分散剤としてゴーセランＬ−３２６６（日本合成化学工業社製）を５％用い、ロイコ染料をサンドミルで平均粒子径０．８μｍになるように分散した。
・顕色剤分散液（固形分４０％）                  ７５部
（Ｄ−８、中京油脂社製、商品名：Ｆ−６４７）
・増感剤分散液（固形分３０％）                １００部
（ＨＳ−３５２０、大日本インキ化学社製）
増感剤分散液は、水に分散剤としてゴーセランＬ−３２６６（日本合成化学工業社製）を５％用い、増感剤をサンドミルで平均粒子径０．８μｍになるように分散した。
・滑剤分散液（固形分３０％）                    ３２部
（ステアリン酸亜鉛、中京油脂社製、商品名：ハイドリンＺ−７−３０）
・再結晶防止剤分散液（固形分３５％）            ２０部
（ＤＨ４３、中京油脂社製、商品名：ハイドリンＦ−１６５）
・炭酸カルシウム分散液（固形分３０％）          ５０部
（カルライトーＫＴ：白石カルシウム社製）
炭酸カルシウム分散液は、水に分散剤としてゴーセランＬ−３２６６（日本合成化学工業社製）を５％用い、炭酸カルシウムをサンドミルで平均粒子径０．８μｍになるように分散した。
・ＰＶＡ１０％溶液                              ５３部
（クラレ社製ＰＶＡ１１０）
・界面活性剤（固形分１０％）                    ３３部
（アデカコールＥＣ４５００、旭電化社製）
・水                                            ２５部
上述した青、黒、赤の各ロイコ染料分散液に対し、上述した顕色剤分散液、増感剤分散液、滑剤分散液、再結晶防止剤分散液、炭酸カルシウム分散剤、ＰＶＡ１０％溶液、界面活性剤、水を混合することにより、発色色相が青、黒、赤と異なる水分散感熱インキを作製する。
【００６１】
各水分散感熱インキの粘度は、３０〜４０ｃｐｓ（東京計器社製、Ｅ型粘度計で測定）、表面張力は約３０ｍＮ／ｍ（クルス社製、Ｋ１２−Ｍｋ５表面張力計で測定）以下に調整した。特に凹版による印刷は、インキの表面張力が大きいと印刷版にインキが入らないため、界面活性剤等でインキの表面張力を小さくする必要がある。
【００６２】
これらの水分散感熱インキをグラビア印刷機（グラビア印刷版１５０線、セル深さ４０μｍの腐食版）によりインキ受理層３上に印刷し、感熱記録媒体１の感熱発色層４を作製した。このときに使用するグラビア印刷版は線数が１５０線、セルの深さが４０μｍで、図６ａ〜図６ｃで示すような各色ストライプ状に連続的に印刷可能な腐食版を用いた。なお、印刷の条件としては乾燥温度８０℃（乾燥長１１ｍ）、搬送速度５０ｍ／ｍｉｎで、印刷する順番としては、前述したように、赤色感熱発色層４ｃ、青色感熱発色層４ａ、黒色感熱発色層４ｂである。図６ａ〜図６ｃで示すような各色ストライプ状に連続的に印刷可能な腐食版を用い、赤色感熱発色層１１９ａ、ｂ、青色感熱発色層１２９ａ、ｂ、黒色感熱発色層１３９ａ、ｂ、ｃが順次印刷される。
【００６３】
このような順番で印刷することで、通常ドクターブレード１１４、１２４、１３４の摩耗が原因で発生する筋状の版かぶりによる感熱発色層４ａ、４ｂ、４ｃの混色が、１５０００ｍ〜２００００ｍ程度の印刷で生じていたが、２００００ｍ〜２５０００ｍ程度の印刷まで、ストライプ状の感熱発色層４ａ、４ｂ、４ｃに混色が発生せず、ドクターブレード１１４、１２４、１３４の交換回数を減らすことができる。これは、色相の淡い感熱発色層４が、版かぶりにより生じても、その量が少ない場合には、色相の濃い感熱発色層４がその上部に印刷されるので目立ちにくい。
【００６４】
また、後に印刷される色相の濃い感熱発色層４は、その隣接するエリアがインキ受理層３でなくストライプ状の感熱発色層４であるので、版かぶりによる色相の濃い水分散感熱インキが少量である場合、転写される量が少なくなり混色が目立ちにくい。
【００６５】
また、隣合う感熱記録媒体１のストライプ状のパターンが逆であり、１つの感熱発色層４が共通で印刷されるため（例えば感熱記録媒体１ａと感熱記録媒体１ｂのストライプ状の順番が逆であり、１つの感熱発色層１２９ａが共通に印刷される。）版かぶりによる混色する箇所が減少していることもドクターブレードの交換頻度を減らしている結果に繋がっていると思われる。
【００６６】
このようにして得られた感熱発色層４を印刷した感熱記録媒体１に保護層（ＯＣＡ−５：日本化薬社製）を乾燥後の重量が１ｇ／ｍ２となるようにバーコーターを用いて塗布した。さらに、図１０で示したように、切断ライン１５０をスリット加工により分離し、さらにキャレンダー加工して複数のストライプ状の感熱記録媒体１を得た。
【００６７】
実施例１の感熱記録媒体１を図１０に示す。なお、実施例１の感熱記録媒体１は下記に示す通りである。
・全体のパターン    ：連続ストライプ状
・全体幅寸法        ：１００ｍｍ
・各感熱発色層の寸法：赤４０ｍｍ、黒３０ｍｍ、青３０ｍｍ
・印刷順序          ：赤→青→黒
【００６８】
このようにして得られた感熱記録媒体１は、連続のストライプ状の感熱発色層４ａ、４ｂ、４ｃであるため、印刷方向に対して連続であるため、長さを可変に印字することができる。
【００６９】
また、切断ライン１５０を挟んでストライプ状のパターンを逆にすることにより、異なる色相の感熱発色層４の境界数を減らすことができる。また、淡い色から印刷することにより、ドクターブレードの交換時期を減らすことができる。
【００７０】
また、各感熱発色層４は印刷方向に対して垂直の方向（幅方向）の寸法が全体の１／１０以上であり、１つの感熱発色層４が１０ｍｍ以上であることから、視覚的にバランスがよく、特に黒色又は青色の感熱発色層４ａ、４ｂにバーコードを印字した場合の読取が良好である。
【００７１】
切断ライン１５０を挟んで、ストライプ状のパターンが逆であるため、この切断ラインで分離しながら必要な長さに巻き取り、感熱記録媒体ロール１０を製造するときに、ストライプ状の感熱発色層４の配置を示すようなマークを感熱記録媒体１を巻き取る巻芯等に設けると便利である。
【００７２】
＜実施例２＞
図１１で示すように、実施例２では、感熱記録媒体１の幅方向の寸法を５０ｍｍにし、各色の感熱発色層４ａ、４ｂ、４ｃを下記に示すようにした以外は実施例１と同じである。  
・全体のパターン    ：連続ストライプ状
（隣合う感熱記録媒体１のストライプ状の感熱発色層４は並びが逆
・全体幅寸法        ：５０ｍｍ
・各感熱発色層の寸法：赤２０ｍｍ、黒２０ｍｍ、青１０ｍｍ
・印刷順序          ：赤→青→黒
【００７３】
バーコードの読取りおよび異なる色相の感熱発色層４の寸法的バランスが良好であって、ドクターブレードの摩耗による混色等に関しても実施例１と同様な効果が得られた。
【００７４】
＜実施例３＞
図１２で示すように、実施例３では、感熱記録媒体１の赤色感熱発色層４ｃ層と黒色感熱発色層４ｂとは逆側に感熱発色層４ｄを青色感熱発色層４ａと同時に印刷して形成した。感熱記録媒体１は、感熱発色層４ｄ上と青色感熱発色層４ａの切断ライン１５０を分離して形成したことと、感熱発色層４ｄを設けるため赤色感熱発色層４ｂの寸法を変更した以外は、実施例２と同じ。
・全体のパターン    ：連続ストライプ状
（隣合う感熱記録媒体１のストライプ状の感熱発色層４は並びが逆）
・全体幅寸法        ：５０ｍｍ
・各感熱発色層の寸法：青色５ｍｍ、赤２０ｍｍ、黒１５ｍｍ、青１０ｍｍ、
・印刷順序          ：赤→青（下線ライン用含む）→黒
【００７５】
感熱発色層４ｄを設けた以外は実施例２と同じであることから、青色、赤色、黒色の感熱発色層４ａ、４ｂ、４ｃの効果は実施例２と同様である。感熱発色層４ｄは、バーコード等に利用できないが、ライン等に利用可能であり、１０ｍｍ以下でも十分である。ドクターブレードの摩耗等による混色等に関しても実施例２と同様な効果が得られる。すなわち、感熱記録媒体１に同一の感熱発色層４が設けられても同じ効果が得られる。
【００７６】
＜実施例４＞
図１３で示すように、実施例４では、実施例１の青色感熱発色層４ａの代わりに、緑色感熱発色層４ｅにした。
【００７７】
緑色感熱発色層４ｅを得るために、ロイコ染料をＣＶＬからＧｒｅｅｎ  ＤＣＦ（保土ヶ谷化学社製）を用いた以外は、実施例１と同じ。
・全体のパターン    ：連続ストライプ状
・全体幅寸法        ：１００ｍｍ
・各感熱発色層の寸法：赤４０ｍｍ、黒３０ｍｍ、緑３０ｍｍ
・印刷順序          ：赤→緑→黒
【００７８】
実施例１と比べ、青色の感熱発色層４ａを緑色の感熱発色層４ｅ以外同じであることから、バーコードの読取りおよび異なる色相の感熱発色層４の寸法的バランスが良好であって、ドクターブレードの摩耗等による混色等に関しても実施例１と同様な効果が得られる。
＜実施例５＞
図８（ｂ）で示すように、実施例５では、青色の感熱発色層４ａ、黒色の感熱発色層４ｂ、赤色の感熱発色層４ｃの並びは全ての感熱記録媒体１で同じであるが、感熱発色層４上を分離する切断ライン１５０が左側から感熱発色層４ａ、４ｂ、４ｃ、４ａ、４ｂ、４ｃ・・・と変わる。この切断ライン１５０で分離され、得られる感熱記録媒体１の感熱発色層４は、左側から４ｃ４ｂ４ａ、
４ａ４ｃ４ｂ、４ｂ４ａ４ｃ、４ｃ４ｂ４ａ・・・となる以外は実施例１と同じ。
・全体のパターン    ：連続ストライプ状
・全体幅寸法        ：１００ｍｍ
・各感熱発色層の寸法：赤４０ｍｍ、黒３０ｍｍ、緑３０ｍｍ
・印刷順序          ：赤→緑→黒
実施例１と比べ、得られる感熱記録媒体１のパターンが３種類１つの基材２から分離されるが、バーコードの読取りおよび異なる色相の感熱発色層４の寸法的バランスが良好であって、ドクターブレードの摩耗等による混色等に関しても実施例１と同様な効果が得られる。
【００７９】
この場合、異なる色相の感熱発色層４の配置が３種類できるので、感熱記録媒体１に分離した後、感熱発色層４を発色する前は見分けることが難しくなるので感熱記録媒体１の個別に分離し必要な長さに巻き取るときに、巻き取る巻き芯や巻き取りの最終部の感熱記録媒体１の表面又は裏面にマーク等を設け、感熱発色層４の配置を認識できるよう工夫すると便利である。
【００８０】
＜比較例１＞
図１４で示すように、比較例４では、感熱記録媒体１に印刷不連続領域１５１が存在する。（非連続ストライプ状）それ以外は実施例１と同じ。
・全体のパターン    ：断続的ストライプ状
（隣合う感熱記録媒体１のストライプ状の感熱発色層４は並びが逆）
・全体幅寸法        ：１００ｍｍ
・各感熱発色層の寸法：赤４０ｍｍ、黒３０ｍｍ、青３０ｍｍ、
・印刷順序          ：赤→青→黒
【００８１】
不連続のストライプ状の感熱発色層４ａ、４ｂ、４ｃであることから、長手方向に制限を受ける。それ以外は、実施例１と同じ性能である。
＜比較例２＞
図１５で示すように、比較例２では、感熱記録媒体１の印刷時のストライプ状パターンを隣合う感熱記録媒体１と全く同じで、切断ライン１５０が感熱記録媒体１の感熱発色層４ａと隣の感熱記録媒体１の感熱発色層４ｃの境界にあること以外は実施例１と同じ。
・全体のパターン    ：連続ストライプ状
（隣合う感熱記録媒体１と全く同一パターンで、スリット位置は、感熱発色層４ａと感熱発色層４ｃの間の切断ライン１５０）
・全体幅寸法        ：１００ｍｍ
・各感熱発色層の寸法：赤４０ｍｍ、黒３０ｍｍ、青３０ｍｍ、
・印刷順序          ：赤→青→黒
【００８２】
バーコードの読取り、異なる色相の感熱発色層４の寸法的バランス、長手方向の自由度等は実施例１と同じであるが、実施例１と比べ、異なる色の感熱発色層４ａ、４ｂ、４ｃの境界が多くなっていることから、早く混色が発生する。また、切断ライン１５０の分離に精度を要する。
【００８３】
＜比較例３＞
比較例３では、感熱記録媒体１の印刷する順番が異なる（印刷順序が逆）以外は実施例１と同じ。
・全体のパターン    ：連続ストライプ状
・全体幅寸法        ：１００ｍｍ
・各感熱発色層の寸法：赤４０ｍｍ、黒３０ｍｍ、青３０ｍｍ、
・印刷順序          ：黒→青→赤
【００８４】
バーコードの読取りおよび異なる色相の感熱発色層４の寸法的バランスは比較例２同様に、実施例１と同じ性能であるが、印刷の順番が異なることから、黒色の部分のドクターブレードが少しでも版かぶりが発生すると、隣合う感熱発色層４との混色が生じるため、ドクターブレードの交換頻度が実施例１よりも増える。
＜比較例４＞
比較例４は、図８（ａ）のようにストライプ状の異なる複数の色相からなる感熱記録媒体１を基材２上に複数印刷し、切断ライン１５０で分離するために、切断ライン１５０が、感熱発色層４を完全に逃げた基材２上の隙間部１５２に形成されている。この場合、実施例と隙間部１５２が存在しているため、無駄な基材２が必要でありコスト高になる。
【００８５】
これら、実施例１〜実施例４と比較例１〜比較例４および比較をまとめた結果を表１に示した。
【００８６】
【表１】
2005324415.tif 000003
【００８７】
表１で、ストライプ状の連続は連続版で印刷したサンプル、不連続は不連続領域１５１（図１４に示す）が存在してしまう印刷法又は印刷版で印刷した場合のサンプルを示す。
【００８８】
ストライプ順とは、隣合う感熱記録媒体１のストライプの順番を示し、これが逆であれば、感熱発色層４の境界数を減らすことができ、ドクターブレードの交換時期を延ばすことができる。
【００８９】
印刷順は、淡い順に印刷すれば、淡い色が版かぶりを起こしても、濃い色の感熱層で上部を覆うことができれば混色も目立たなくできるので、ドクターブレードの交換時期を延ばすことができる。
【００９０】
切断位置とは切断ライン１５０の位置を意味し、実施例では感熱発色上、比較例２では感熱発色層４と隣合う感熱発色層４の間、比較例４では、基材２上の隙間部である。
【００９１】
印刷順とは、感熱発色層４を印刷する色相の順番を意味している。淡い順とは、濃度の薄い色から濃度の濃い方へ印刷するという意味である。
【００９２】
印字長自由度とは、サーマルプリンタで、印字する際の感熱記録媒体送り方向の長さの自由度を意味する。
【００９３】
ブレード交換時期とは、グラビア印刷のドクターブレードの交換時期を意味する。
【００９４】
切断精度の必要性とは、スリッターによる切断に通常よりも精度を要するかどうかを意味する。通常印刷後巻取り必要な幅に切断するため、〜１ｍｍ程度の誤差が生じるが、これを許容できるかどうかである。
【００９５】
総合評価とは、上記判断項目をどの程度満足するかを○△×で示したものである。
【００９６】
比較した結果から、実施例１から実施例５は比較例１から比較例４に比べて、印字長自由度（○：自由設定可能、×：長さ制限あり）、ブレード交換時期（○：２００００ｍ以上で混色のため交換、△：２００００ｍ以下で混色のため交換）切断精度の必要性（不要、必要で判断）、総合評価（実施例１を○として、印字長の自由度、ドクターブレードの寿命時期、切断精度の制約とから△、×と主観的に判断した）で優れることがわかる。
【００９７】
今回の実施例および比較例では基材２に９０ｇ／ｍ２の上質紙を使用したが、これよりも坪量の少ない基材２を用いると、感熱発色層４を形成後、乾燥させる工程でしわが発生しやすくなるという問題が発生する。
【００９８】
通常印刷工程には、水蒸気を裏側から当てることにより、しわの発生を防止するための「浸し水」装置がない。通常の印刷工程でしわが発生せずに安定した品質を得るには、坪量９０ｇ／ｍ２程度の厚さが必要である。より好ましくは１００ｇ／ｍ２程度以上であるが、厚くすると基材２のコストが高くなるので、しわが発生しない下限で用いることが望ましく、１００ｇ／ｍ２程度が最適と言える。
【００９９】
今回の実施例および比較例ではグラビア印刷法を用いたが、これに限るものでなく、他の印刷法でも固形分３０％程度の水系感熱分散インキが印刷可能であり、かつ、連続的に印刷可能であれば使用可能である。
【図面の簡単な説明】
【０１００】
【図１】本発明の一実施の形態の感熱記録媒体を示す平面図である。
【図２】図１における断面図である。
【図３】感熱記録媒体への印字例を示す平面図である。
【図４】本発明の感熱記録媒体ロールを示す概念図である。
【図５】本発明の感熱記録媒体ロールを製造するための工程の模式図である。
【図６】本発明の感熱記録媒体ロール製造に使用する印刷版の模式図である。
【図７】本発明の感熱記録媒体の平面図である。
【図８】本発明の感熱記録媒体の説明のための、一般技術例（ａ）および本発明実施例５の変形例（ｂ）を表す平面図である。
【図９】本発明の感熱記録媒体の変形例（折状）を表す、斜視図および側面図である。
【図１０】本発明感熱記録媒体の実施例１を表す平面図である。
【図１１】本発明感熱記録媒体の実施例２を表す平面図である。
【図１２】本発明感熱記録媒体の実施例３を表す平面図である。
【図１３】本発明感熱記録媒体の実施例４を表す平面図である。
【図１４】感熱記録媒体の比較例１を表す平面図である。
【図１５】感熱記録媒体の比較例２を表す平面図である。
【図１６】従来の多色の感熱記録媒体を示す平面図である。
【図１７】従来の感熱記録媒体の課題（泳ぎ）を示す画像である。
【符号の説明】
【０１０１】
１      感熱記録媒体
２      基材
３      インキ受理層
４ａ、４ｂ、４ｃ  感熱発色層
５      保護層
１０  感熱記録媒体ロール
１１  折状の感熱記録媒体
１００  グラビア印刷機
１０１  基材の巻き出しロール
１０２  基材の巻き取りロール
１１０  第１の印刷ユニット
１２０  第２の印刷ユニット
１３０  第３の印刷ユニット
１１１、１２１、１３１  熱風乾燥装置
１１２、１２２、１３２  圧胴
１１３、１２３、１３３  グラビア印刷版
１１４、１２４、１３４  ドクターブレード
１１５、１２５、１３５  水分散感熱インキ
１１６、１２６、１３６  インキパッド
１１７、１２７、１３７  各色のグラビア版の溝部
１１８、１２８、１３８  各版のシリンダ
１１９、１２９、１３９  各色の感熱発色層
１５０  切断ライン  
１５１  印刷不連続領域
１５２  隙間部
【図１】
2005324415.tif 000004
【図２】
2005324415.tif 000005
【図３】
2005324415.tif 000006
【図４】
2005324415.tif 000007
【図５】
2005324415.tif 000008
【図６】
2005324415.tif 000009
【図７】
2005324415.tif 000010
【図８】
2005324415.tif 000011
【図９】
2005324415.tif 000012
【図１０】
2005324415.tif 000013
【図１１】
2005324415.tif 000014
【図１２】
2005324415.tif 000015
【図１３】
2005324415.tif 000016
【図１４】
2005324415.tif 000017
【図１５】
2005324415.tif 000018
【図１６】
2005324415.tif 000019
【図１７】
2005324415.tif 000020